(57)【特許請求の範囲】
【請求項１】
内視鏡の照明用ライトガイドに照明光を供給するための光源ランプが内蔵されて、上記ライトガイドの入射端部が配置された内視鏡操作部に対して着脱自在に連結される簡易型内視鏡の光源装置において、
外表面に露出する部品のうち上記光源ランプの点灯によって高温になる部品の表面を、他の部品と異なる色であって上記他の部品より光沢のある外観に形成したことを特徴とする簡易型内視鏡の光源装置。
【請求項２】
上記光源ランプの点灯によって高温になる部品は、上記光源装置が上記内視鏡操作部から取り外された状態のときだけ外表面に露出する請求項１記載の簡易型内視鏡の光源装置。
【請求項３】
上記光源ランプの点灯によって高温になる部品が、上記光源ランプを収容するランプ室のケースである請求項１又は２記載の簡易型内視鏡の光源装置。
【発明の詳細な説明】
【０００１】
【発明の属する技術分野】
この発明は、ライトガイドの入射端部が配置された内視鏡操作部に対して着脱自在に連結される簡易型内視鏡の光源装置に関する。
【０００２】
【従来の技術】
操作部に照明用の光源を設けたいわゆる簡易型内視鏡装置では、被写体を照明する照明光を伝達するためのライトガイドの入射端部が、内視鏡の操作部に配置されている。
【０００３】
そして、ライトガイドに照明光を供給するための光源ランプとその電源となる電池等を内蔵した照明光供給ユニット（光源装置）が内視鏡操作部に対して着脱自在に設けられており、照明光供給ユニットの外装部品は全体が単色（例えば黒色）に塗られている。
【０００４】
【発明が解決しようとする課題】
簡易型内視鏡の光源装置に用いられる光源ランプは小型なものであるが、点灯させると狭い空間内で発熱をするので、その周辺の部品は相当の高温になり、直接手を触れると、火傷をしたり、装置を取り落としたりする恐れがある。
【０００５】
そこで本発明は、光源ランプの点灯によって高温になる部品に操作者が不用意に触れないように注意を喚起することができる簡易型内視鏡の光源装置を提供することを目的とする。
【０００６】
【課題を解決するための手段】
上記の目的を達成するため、本発明の簡易型内視鏡の光源装置は、内視鏡の照明用ライトガイドに照明光を供給するための光源ランプが内蔵されて、上記ライトガイドの入射端部が配置された内視鏡操作部に対して着脱自在に連結される簡易型内視鏡の光源装置において、外表面に露出する部品のうち上記光源ランプの点灯によって高温になる部品の表面を他の部品と識別可能な状態にしたことを特徴とする。
【０００７】
なお、上記光源ランプの点灯によって高温になる部品は、上記光源装置が上記内視鏡操作部から取り外された状態のときだけ外表面に露出するものであってもよい。
【０００８】
そして、上記光源ランプの点灯によって高温になる部品の表面色が他の部品と異なる色になっていてもよく、その場合、上記光源ランプの点灯によって高温になる部品の表面色が赤色であってもよい。
【０００９】
なお、上記光源ランプの点灯によって高温になる部品が、上記光源ランプを収容するランプ室のケースであってもよい。
【００１０】
【発明の実施の形態】
図面を参照して本発明の実施の形態を説明する。
図１は、簡易型内視鏡の操作部１に対して照明光供給ユニット（光源装置）１０が取り外された状態を示している。
【００１１】
操作部１には、内視鏡の照明用ライトガイドファイババンドル２の入射端部２ａが配置されていて、照明光供給ユニット１０を操作部１に突設された接続口金３に対して矢印方向から連結、接続することにより、照明光供給ユニット１０に内蔵された光源ランプから放射される光線束が、ライトガイドファイババンドル２に入射するようになっている。
【００１２】
照明光供給ユニット１０が操作部１に連結された状態では、照明光供給ユニット１０側の締め環１１の内面に形成された雌ネジを接続口金３側に突設された雄ネジ４に螺合させることによって、連結状態が外れないように維持される。
【００１３】
図２は照明光供給ユニット１０を示しており、電源となる電池１２が、筒状に形成された電池ケース１３内に収容されていて、後端部分には、回転によってオン／オフを切り換えるようにしたスイッチ１４が設けられている。
【００１４】
締め環１１は、軸線中心に回転自在に且つ軸線方向には移動できないように電池ケース１３の先側に設けられていて、操作部１側に螺合させるための前述の雌ネジ１５が、締め環１１の内面の先端側の部分に形成されている。
【００１５】
豆電球からなる光源ランプ１７は、操作部１の接続口金３に差し込まれるように照明光供給ユニット１０の先端部分に設けられたランプ室ケース１８内に収容されている。２０は、電池ケース１３とランプ室ケース１８を連結する連結筒である。
【００１６】
ランプ室ケース１８内には、光源ランプ１７を囲んで反射鏡２１が配置され、最先端部にはカバーガラス２２が配置されている。その結果、点灯状態の光源ランプ１７から放射された照明光は、一部はカバーガラス２２を直接透過し、残りは反射鏡２１で反射されてからカバーガラス２２を透過して、内視鏡のライトガイドファイババンドル２に入射する。２３，２４はシール用のＯリングである。
【００１７】
ランプ室ケース１８は、光源ランプ１７を交換するために取り外すことができるように、連結筒２０に対して螺合して設けられており、図３に示されるように、ランプ室ケース１８を連結筒２０から取り外すことによって光源ランプ１７が露出するようになっている。
【００１８】
ランプ室ケース１８、連結筒２０及び電池ケース１３は、いずれもアルミニウム等のように熱伝導性のよい金属で形成されていて、点灯によって発熱する光源ランプ１７の熱を、ランプ室ケース１８から連結筒２０そして電池ケース１３へと逃がすようになっている。
【００１９】
その中で、光源ランプ１７を囲む位置に配置されたランプ室ケース１８は、光源ランプ１７に近くて大きさも小さいので、光源ランプ１７から受ける熱によって高温になり、手で直接触れると火傷する恐れがある。
【００２０】
ただし、照明光供給ユニット１０が操作部１に連結された使用状態では、ランプ室ケース１８は接続口金３内に差し込まれた状態になって露出しないのでそのような問題はなく、使用直後に操作部１から照明光供給ユニット１０を取り外した時にそのような問題が生じる。
【００２１】
電池ケース１３は、光源ランプ１７から遠くて大きさも大きいので温度上昇は小さく、連結筒２０はランプ室ケース１８に比べれば光源ランプ１７から遠くしかもほとんど表面に露出していないので、熱の問題は生じない。
【００２２】
そこで、ランプ室ケース１８の外表面を、照明光供給ユニット１０の他の露出部品とは明らかに相違する色に着色してある。図１及び図３には、その部分が破線による斜線で示されている。
【００２３】
ランプ室ケース１８の外表面色は、照明光供給ユニット１０の他の露出部品と明らかに相違する色であれば何色でもよいが、操作者が不用意に触れないように注意を喚起できる色であることが望ましい。例えばランプ室ケース１８の外表面色を赤色にして、照明光供給ユニット１０の他の部分を黒色等とするとよい。
【００２４】
また、光源ランプ１７の点灯によって高温になるランプ室ケース１８等の部品は、色を変えることによって識別することに限らず、例えば光沢を変える等の表面仕上げその他の手段によって識別するようにしてもよい。
【００２５】
【発明の効果】
本発明によれば、外表面に露出する部品のうち光源ランプの点灯によって高温になる部品の表面を他の部品と識別可能な状態にしたことにより、光源ランプの点灯によって高温になる部品に操作者が誤って触れないように注意を喚起することができ、火傷事故等を未然に防止することができる。
【図面の簡単な説明】
【図１】本発明の実施の形態の照明光供給ユニットが内視鏡操作部から外された状態の側面図である。
【図２】本発明の実施の形態の照明光供給ユニットの一部が断面で示された拡大側面図である。
【図３】本発明の実施の形態の照明光供給ユニットのランプ室ケースが取り外された状態の側面図である。
【符号の説明】
１  内視鏡操作部
２  ライトガイドファイババンドル
１０  照明光供給ユニット（光源装置）
１７  光源ランプ
１８  ランプ室ケース
【図１】
0003742466.tif 000002
【図２】
0003742466.tif 000003
【図３】
0003742466.tif 000004